(57)【要約】【課題】サイトの情報変更や情報更新が行われた場合でも、所望の情報提供サイトの最新情報を簡便な操作で確実に表示させる。【解決手段】タグラベルプリンタ２００は、情報を記憶するＩＣ回路部１５０と情報の送受信を行うタグ側アンテナ１５１とを備えた無線タグ回路素子Ｔoに対し、情報送受信可能な装置側アンテナ２０６を有し、所定のニュースサイトに関わるＲＳＳデータの格納先ＵＲＬと、ニュースサイトで提供されるサイト情報に関し所定の表示処理を行うためのニュースティッカーウィジェットプログラムとを書き込んだ無線タグ回路素子Ｔoを備えたタグテープ２０３を用いて、タグラベルＴの発行処理を行う。【選択図】図５
2009146164.tif 000002
【特許請求の範囲】
【請求項１】
情報を記憶するＩＣ回路部と情報の送受信を行うタグアンテナとを備えた無線タグ回路素子に対し、情報送受信可能な通信手段と、
所定の情報提供サイトに関わるＲＳＳデータの格納先情報と、前記情報提供サイトで提供される情報に関し所定の表示態様にて表示させる表示処理を行うためのウィジェットプログラムとを、前記通信手段を介し書き込んだ前記無線タグ回路素子を備えたタグ媒体を用いて、無線タグの発行処理を行う発行処理手段と
を有することを特徴とする無線タグ作成装置。
【請求項２】
前記発行処理手段は、
前記タグ媒体を搬送するための搬送手段と、
前記通信手段を介し、少なくとも前記ＲＳＳデータの格納先情報及び前記ウィジェットプログラムを前記無線タグ回路素子に書き込む情報書き込み手段と、
前記タグ媒体又はこれに貼り合わされる被印字媒体に対し、所定の印字を行う印字手段と
を備えることを特徴とする請求項１記載の無線タグ作成装置。
【請求項３】
前記情報書き込み手段は、
１つ以上の前記情報提供サイトに関わる１つ以上の前記ＲＳＳデータの格納先情報を、前記通信手段を介し前記無線タグ回路素子に書き込む
ことを特徴とする請求項２記載の無線タグ作成装置。
【請求項４】
前記情報書き込み手段は、
１つ以上の前記ウィジェットプログラムを、前記通信手段を介し前記無線タグ回路素子に書き込む
ことを特徴とする請求項３記載の無線タグ作成装置。
【請求項５】
前記情報書き込み手段は、
１つ以上の前記ＲＳＳデータの格納先情報と１つ以上の前記ウィジェットプログラムとをそれぞれ対応付けた形で、前記通信手段を介し前記無線タグ回路素子に書き込む
ことを特徴とする請求項４記載の無線タグ作成装置。
【請求項６】
前記情報書き込み手段は、
前記ウィジェットプログラムにより行う前記表示処理に関する表示指示情報を、前記通信手段を介し前記無線タグ回路素子に書き込む
ことを特徴とする請求項５記載の無線タグ作成装置。
【請求項７】
前記情報書き込み手段は、
前記表示指示情報に含まれる１種類以上の前記表示態様と、前記１つ以上のＲＳＳデータの格納先情報と、前記１つ以上のウィジェットプログラムとをそれぞれ対応付けた形で、前記通信手段を介し前記無線タグ回路素子に書き込む
ことを特徴とする請求項６記載の無線タグ作成装置。
【請求項８】
前記情報書き込み手段は、
前記表示指示情報として、少なくとも、表示手段における表示部位を指定する表示位置情報を前記通信手段を介し前記無線タグ回路素子に書き込む
ことを特徴とする請求項６又は請求項７記載の無線タグ作成装置。
【請求項９】
前記情報書き込み手段は、
前記ＲＳＳデータの格納先情報に基づき前記ＲＳＳデータにアクセスするタイミング、若しくは当該ＲＳＳデータに記載されている格納先情報に基づき各情報提供サイトにアクセスするタイミングに関するアクセス時期情報を、前記通信手段を介し前記無線タグ回路素子に書き込む
ことを特徴とする請求項６乃至請求項８のいずれか１項記載の無線タグ作成装置。
【請求項１０】
所定の情報提供サイトに関わるＲＳＳデータの格納先情報と、前記情報提供サイトで提供される情報に関し所定の表示処理を行うためのウィジェットプログラムとが書き込まれた前記無線タグ回路素子を備えたタグ媒体、若しくは、前記タグ媒体に貼り合わされる被印字媒体に備えられる、所定の印字領域に対する印字手段の印字内容を編集可能な無線タグ編集装置であって、
所定の情報提供サイトに関わるＲＳＳデータの内容表示を行うための表示手段と、
前記表示手段に内容が表示された前記ＲＳＳデータのタイトルを取得するタイトル取得手段と、
前記タイトル取得手段で取得された前記ＲＳＳデータのタイトルに基づき、前記印字領域に対する前記印字手段の印字内容を決定する印字内容決定手段と
を有することを特徴とする無線タグ編集装置。
【請求項１１】
前記印字内容決定手段は、
前記表示手段に前記ＲＳＳデータの内容が表示された状態における、操作手段の所定の操作に応じて、前記印字内容を決定する
ことを特徴とする請求項１０記載の無線タグ編集装置。
【請求項１２】
前記印字内容決定手段は、
前記所定の操作として、前記表示手段における前記ＲＳＳデータの格納先情報の表示領域に対するドラッグ操作に応じて、前記印字内容を決定する
ことを特徴とする請求項１１記載の無線タグ編集装置。
【発明の詳細な説明】
【技術分野】
【０００１】
本発明は、ウィジェットを用いた情報表示を行うための無線タグを作成する無線タグ作成装置及び無線タグ編集装置に関する。
【背景技術】
【０００２】
パソコンの普及とＩＴネットワーク社会の浸透に応じ、近年、パソコンにおけるアプリケーションソフトやデスクトップ上で動作する小規模なソフトウェア（アクセサリーソフトや単機能プログラム等）が提唱されている（例えば、特許文献１参照）。このような小規模ソフトウェアは、ウィジェット、あるいはガジェット（以下単に、「ウィジェット」という）と称されている。一般に、ウィジェットは、特定のランタイム環境で実行されるものであり、時計やカレンダー、辞書、電卓、気象情報等の機能をもつものが既に知られている。
【０００３】
【特許文献１】特開２００７−２５１９２０号公報
【発明の開示】
【発明が解決しようとする課題】
【０００４】
例えば上記のようなウィジェットをパソコンのデスクトップ上で動作させる場合には、通常のアプリケーションソフトウェアと異なり、メニュー間の階層的な移動をすることなく、１つの画面で簡便に他のウィジェットを実行することができる。この結果、操作の負担や待ち時間を低減し、操作者の利便性を向上することができる効果がある。
【０００５】
一方、近年、小型の無線タグとリーダ（読み取り装置）／ライタ（書き込み装置）との間で非接触で情報の読み取り／書き込みを行うＲＦＩＤ（Radio  Frequency  Identification）システムが普及しつつある。このＲＦＩＤシステムを用い、例えば、無線タグに記憶された所定の情報提供サイトの格納先（ＵＲＬ情報）をリーダで読み取って当該サイトにアクセスし、対応する情報を取得して表示する技術が既に提唱されている。また、無線タグに記憶された種々のアプリケーションソフトウェアをリーダで読み取って端末側に取り込む技術も既に提唱されている。
【０００６】
上記のアプリケーションソフトウェアと同様、ウィジェットを記憶した無線タグを作成すれば、所望の相手に対しその無線タグを渡すことでウィジェットを簡単に配布することができるが、そのような技術は従来存在しなかった。また、情報提供サイトの格納先を書き込んだ無線タグを作成し、その格納先を読み出して情報提供サイトに直接アクセスする場合、サイトの情報変更や情報更新が行われた場合に最新の情報を取得できないおそれがあった。
【０００７】
本発明の目的は、サイトの情報変更や情報更新が行われた場合でも、所望の情報提供サイトの最新情報を簡便な操作で確実に表示させることができる無線タグ作成装置及び無線タグ編集装置を提供することにある。
【課題を解決するための手段】
【０００８】
上記目的を達成するために、第１の発明は、情報を記憶するＩＣ回路部と情報の送受信を行うタグアンテナとを備えた無線タグ回路素子に対し、情報送受信可能な通信手段と、所定の情報提供サイトに関わるＲＳＳデータの格納先情報と、前記情報提供サイトで提供される情報に関し所定の表示態様にて表示させる表示処理を行うためのウィジェットプログラムとを、前記通信手段を介し書き込んだ前記無線タグ回路素子を備えたタグ媒体を用いて、無線タグの発行処理を行う発行処理手段とを有することを特徴とする。
【０００９】
本願第１発明においては、無線タグ回路素子に情報送受信可能な通信手段と、無線タグの発行処理を行う発行処理手段とが備えられている。発行処理手段は、通信手段を介し、所定の情報提供サイトの格納先情報を含むＲＳＳデータの格納先情報と、所定の表示処理を行うためのウィジェットプログラムとを、無線タグ回路素子に書き込む。これにより、上記のようにして発行された無線タグに対し、操作者が無線タグ読み取り装置等を用いてＲＳＳデータの格納先情報を読み取ることで、その格納先よりＲＳＳデータを取得し、それに基づく情報提供サイトの情報を取得することができる。そしてこのとき、ウィジェットプログラムを取得できるので、その取得したウィジェットプログラムを用いて、上記情報提供サイトからの情報を適宜の表示手段に所定の表示態様で表示させることができる。
【００１０】
以上のようにして、操作者は、発行された無線タグに情報読み取りを行うだけで、自動的に、所望の情報提供サイトの情報を表示手段に表示させることができる。この結果、情報提供サイトからの情報入手時における利便性を向上することができる。また、情報提供サイトの格納先を直接無線タグに書き込んでおくのではなく、当該サイトのＲＳＳデータの格納先を書き込んでおき、無線タグへの情報読み取りによって上記ＲＳＳデータを格納するＲＳＳサイトへアクセスするようにする。これにより、情報提供サイトの格納先に直接アクセスする場合と異なり、サイトの情報変更や情報更新が行われた場合でも当該情報提供サイトに確実にアクセスし、最新の情報を取得して表示することができる。
【００１１】
第２発明は、上記第１発明において、前記発行処理手段は、前記タグ媒体を搬送するための搬送手段と、前記通信手段を介し、少なくとも前記ＲＳＳデータの格納先情報及び前記ウィジェットプログラムを前記無線タグ回路素子に書き込む情報書き込み手段と、前記タグ媒体又はこれに貼り合わされる被印字媒体に対し、所定の印字を行う印字手段とを備えることを特徴とする。
【００１２】
発行処理において、搬送手段で無線タグ回路素子を備えたタグ媒体が搬送され、このタグ媒体に備えられる無線タグ回路素子に対し、情報書き込み手段で少なくともＲＳＳデータの格納先情報及びウィジェットプログラムが書き込まれて記憶される。またタグ媒体（又は被印字媒体）に印字手段で所定の印字が行われる。このようにして、所定の情報が書き込まれた無線タグ回路素子をタグ媒体に備え、かつタグ媒体（又は被印字媒体）に印字を備えた印字付き無線タグを発行することができる。
【００１３】
第３発明は、上記第２発明において、前記情報書き込み手段は、１つ以上の前記情報提供サイトに関わる１つ以上の前記ＲＳＳデータの格納先情報を、前記通信手段を介し前記無線タグ回路素子に書き込むことを特徴とする。
【００１４】
これにより、作成された１つの無線タグに対して情報読み取りを行うだけで、１つ又は複数のＲＳＳデータを介し１つ又は複数の情報提供サイトの情報を表示させる（１つのＲＳＳデータに複数の情報提供サイトが対応する場合、複数のＲＳＳデータに１つの情報提供サイトが対応する場合を含む）ことが可能となる。この結果、各サイトごとに１つずつ無線タグの情報読み取りが必要となる場合に比べ、操作者の利便性が向上する。また、各ＲＳＳデータごと（言い換えれば各情報提供サイトごと）に表示態様を変えることも可能となる。
【００１５】
第４発明は、上記第３発明において、前記情報書き込み手段は、１つ以上の前記ウィジェットプログラムを、前記通信手段を介し前記無線タグ回路素子に書き込むことを特徴とする。
【００１６】
これにより、１つの無線タグに対して情報読み取りを行うだけで、１つ又は複数のウィジェットプログラムを用いて情報提供サイトの情報を表示させる（１つのウィジェットプログラムに複数のＲＳＳデータや情報提供サイトが対応する場合、複数のウィジェットプログラムに１つのＲＳＳデータや情報提供サイトが対応する場合を含む）ことができ、さらに操作者の利便性が向上する。また、複数のＲＳＳデータのそれぞれごと（言い換えれば各情報提供サイトごと）に使用するウィジェットプログラムを変えることも可能となり、それぞれ１つずつ別々に無線タグの情報読み取りが必要となる場合に比べて、操作者の利便性を向上することができる。
【００１７】
第５発明は、上記第４発明において、前記情報書き込み手段は、１つ以上の前記ＲＳＳデータの格納先情報と１つ以上の前記ウィジェットプログラムとをそれぞれ対応付けた形で、前記通信手段を介し前記無線タグ回路素子に書き込むことを特徴とする。
【００１８】
これにより、１つ又は複数のＲＳＳサイトもしくは情報提供サイトそれぞれに対して使用するウィジェットプログラムを変えることが可能となり、サイトから提供される情報に最も適した表示内容を確実に実現することができる。
【００１９】
第６発明は、上記第５発明において、前記情報書き込み手段は、前記ウィジェットプログラムにより行う前記表示処理に関する表示指示情報を、前記通信手段を介し前記無線タグ回路素子に書き込むことを特徴とする。
【００２０】
これにより、取得したウィジェットプログラムを用いて情報提供サイトからの情報を表示手段に表示させるとき、その表示態様が表示指示情報に基づいて自動的に制御される。この結果、表現の幅を広げることができ、例えば情報提供サイトの情報配信者の意図になるべく近いような態様による表示や、操作者のニーズや用途に応じた表示等も容易に実現可能となる。
【００２１】
第７発明は、上記第６発明において、前記情報書き込み手段は、前記表示指示情報に含まれる１種類以上の前記表示態様と、前記１つ以上のＲＳＳデータの格納先情報と、前記１つ以上のウィジェットプログラムとをそれぞれ対応付けた形で、前記通信手段を介し前記無線タグ回路素子に書き込むことを特徴とする。
【００２２】
これにより、取得したウィジェットプログラムを用いて情報提供サイトからの情報を表示手段に表示させるとき、１つ又は複数の情報提供サイトそれぞれに対して使用するウィジェットプログラム及び表示態様を変えて、サイトから提供される情報に最も適した表示内容を確実に実現することができる。
【００２３】
第８発明は、上記第６又は第７発明において、前記情報書き込み手段は、前記表示指示情報として、少なくとも、表示手段における表示部位を指定する表示位置情報を前記通信手段を介し前記無線タグ回路素子に書き込むことを特徴とする。
【００２４】
これにより、取得したウィジェットプログラムを用いて情報提供サイトからの情報を表示手段に表示させるとき、例えば情報提供サイトの情報配信者の意図になるべく近いような表示部位での表示や、操作者のニーズや用途に応じた最適な部位での表示等を確実に行うことができる。
【００２５】
第９発明は、上記第６乃至第８発明のいずれかにおいて、前記情報書き込み手段は、前記ＲＳＳデータの格納先情報に基づき前記ＲＳＳデータにアクセスするタイミング、若しくは当該ＲＳＳデータに記載されている格納先情報に基づき各情報提供サイトにアクセスするタイミングに関するアクセス時期情報を、前記通信手段を介し前記無線タグ回路素子に書き込むことを特徴とする。
【００２６】
これにより、取得したウィジェットプログラムを用いて情報提供サイトからの情報を表示手段に表示させるにあたり、ＲＳＳデータ若しくは各情報提供サイトへのアクセスタイミングを適宜に設定することができる。またこれにより、情報提供サイトに対し適宜の間隔で周期的にアクセスし、サイトから常に最新の情報を取得して表示することが可能となり、操作者の利便性を向上することができる。
【００２７】
上記目的を達成するために、第１０発明は、所定の情報提供サイトに関わるＲＳＳデータの格納先情報と、前記情報提供サイトで提供される情報に関し所定の表示処理を行うためのウィジェットプログラムとが書き込まれた前記無線タグ回路素子を備えたタグ媒体、若しくは、前記タグ媒体に貼り合わされる被印字媒体に備えられる、所定の印字領域に対する印字手段の印字内容を編集可能な無線タグ編集装置であって、所定の情報提供サイトに関わるＲＳＳデータの内容表示を行うための表示手段と、前記表示手段に内容が表示された前記ＲＳＳデータのタイトルを取得するタイトル取得手段と、前記タイトル取得手段で取得された前記ＲＳＳデータのタイトルに基づき、前記印字領域に対する前記印字手段の印字内容を決定する印字内容決定手段とを有することを特徴とする。
【００２８】
所定の情報提供サイトのＲＳＳデータの格納先情報と、所定の表示処理を行うためのウィジェットプログラムとを、無線タグ回路素子に書き込んで無線タグが作成される。この無線タグに対し、操作者が無線タグ読み取り装置等を用いてＲＳＳデータの格納先情報を読み取ることで、その格納先よりＲＳＳデータを取得し、それに基づく情報提供サイトの情報を取得することができる。そしてこのとき、ウィジェットプログラムを取得できるので、その取得したウィジェットプログラムを用いて、上記情報提供サイトからの情報を適宜の表示手段に表示させることができる。
【００２９】
本願第１０発明においては、上記のような無線タグ作成時において、タグ媒体又は被印字媒体の印字領域に対する印字内容を編集する。操作者が、情報提供サイトに関わるＲＳＳデータの内容を表示手段に表示させると、表示したＲＳＳデータのタイトルがタイトル取得手段で取得され、その取得されたＲＳＳデータのタイトルに基づき、印字内容決定手段が上記印字領域への印字内容を決定する。これにより、無線タグ作成時の印字内容を操作者がいちいち手動入力しなくても、ＲＳＳデータへのアクセスに対応して自動的に印字領域への印字内容が設定される。この結果、上記無線タグ回路素子への記憶内容、及びそれに基づく上記の機能を印字によって視覚的に明確化した無線タグを容易に作成することができる。したがって、情報提供サイトからの情報入手のための無線タグ作成時における、操作者の利便性を向上することができる。
【００３０】
第１１発明は、上記第１０発明において、前記印字内容決定手段は、前記表示手段に前記ＲＳＳデータの内容が表示された状態における、操作手段の所定の操作に応じて、前記印字内容を決定することを特徴とする。
【００３１】
これにより、ＲＳＳデータを表示させた状態において、所定操作の有無によって操作者の意志を確認した後、印字領域への印字内容を決定することができる。
【００３２】
第１２発明は、上記第１１発明において、前記印字内容決定手段は、前記所定の操作として、前記表示手段における前記ＲＳＳデータの格納先情報の表示領域に対するドラッグ操作に応じて、前記印字内容を決定することを特徴とする。
【００３３】
これにより、ＲＳＳデータを表示させた状態において、ドラッグ操作の有無によって操作者の意志を確認した後、印字領域への印字内容を決定することができる。
【発明の効果】
【００３４】
本発明によれば、サイトの情報変更や情報更新が行われた場合でも、所望の情報提供サイトの最新情報を簡便な操作で確実に表示させることができる。
【発明を実施するための最良の形態】
【００３５】
以下、本発明の一実施の形態を図面を参照しつつ説明する。
【００３６】
図１は、本実施形態の無線タグ作成装置を含む無線タグ作成システム全体を表すシステム構成図である。
【００３７】
図１に示す無線タグ作成システム１は、タグラベル（無線タグ）Ｔを作成する無線タグ作成装置としてのタグラベルプリンタ２００と、表示部１０１及び操作部１０２等を有する無線タグ編集装置としてのＰＣ端末１００（以下適宜、単に「ＰＣ１００」又は「書き込み側ＰＣ１００」という）とを備えている。
【００３８】
タグラベルプリンタ２００は、ＰＣ１００に対し、例えばＵＳＢケーブル等の接続手段２を介して接続されている。ＰＣ１００は、例えばインターネット等の有線あるいは無線による通信ネットワーク５を介しＲＳＳサーバ７に接続されている。これらＲＳＳサーバ７及びＰＣ１００は、通信ネットワーク５を介して複数の情報提供サーバ６にアクセス可能に接続されている。
【００３９】
ＲＳＳサーバ７は、ＲＳＳデータ（詳細は後述）を読み出し可能に格納保持している。情報提供サーバ６は、いわゆるＷＥＢサーバなどであり、上記ＲＳＳデータに含まれる格納先情報（ＵＲＬなど。詳細は後述）に対応する情報提供サイトを管理する。
【００４０】
図２は、上記無線タグ作成システム１を構成するＰＣ１００及びタグラベルプリンタ２００の詳細機能を表す機能ブロック図である。
【００４１】
この図２において、ＰＣ１００は、各種の入力画面や出力画面等の所定の表示を行うためのディスプレイ装置である上記表示部（表示手段）１０１と、操作者が操作入力を行うための適宜のボタン、キー、マウス等を備えた上記操作部（操作手段）１０２と、上記タグラベルＴに記録する各種情報や上記ＲＳＳサーバ７に関する情報などを記憶する記憶装置１０３と、上記タグラベルプリンタ２００との間で接続手段２を介して行われる通信の制御を行う通信制御部１０４と、上記通信ネットワーク５を介して行われる通信の制御を行うネットワーク制御部１０６と、これら表示部１０１、操作部１０２、記憶装置１０３、通信制御部１０４、及びネットワーク制御部１０６を含むＰＣ１００全体の動作を制御する制御回路１０５とを有する。
【００４２】
タグラベルプリンタ２００は、タグテープロールホルダ部２１０と、印字ヘッド２０５（印字手段）と、装置側アンテナ（通信手段）２０６と、高周波回路２０１と、制御回路２０２と、上記ＰＣ１００との間で接続手段２を介して行われる通信の制御を行う通信制御部２０８と、カッタ２０７と、搬送装置（搬送手段）２０９とを有する。
【００４３】
タグテープロールホルダ部２１０は、タグテープロール２０４を備えた図示しないカートリッジ（又はタグテープロール２０４の直づけでもよい）を着脱可能に構成されている。タグテープロール２０４は、所定間隔で無線タグ回路素子Ｔoが備えられたタグテープ２０３（タグ媒体）を巻回している。無線タグ回路素子Ｔoは、情報を記憶するＩＣ回路部１５０と、このＩＣ回路部１５０に接続されるタグ側アンテナ（タグアンテナ）１５１とを備えている。
【００４４】
印字ヘッド２０５は、タグテープロール２０４から繰り出されたタグテープ２０３のうち、上記無線タグ回路素子Ｔoに対応した所定の印字領域（後述の図９参照）に所定の印字を行う。装置側アンテナ２０６は、無線タグ回路素子Ｔoとの間で無線通信により情報の送受信を行う。カッタ２０７は、タグテープ２０３への印字及び無線タグ回路素子Ｔoへの上記情報書き込みが終了したタグテープ２０３を所定の長さに切断してタグラベルＴとする。搬送装置２０９は、印字ヘッド２０５に対向して設けられ、制御回路２０２により制御されてタグテープロール２０４を搬送する。
【００４５】
高周波回路２０１及び制御回路２０２は、無線タグ回路素子ＴoのＩＣ回路部１５０へのアクセス情報を生成し、装置側アンテナ２０６を介して無線タグ回路素子Ｔoへ送信し、無線タグ回路素子ＴoのＩＣ回路部１５０へ情報書き込みを行う。また制御回路２０２は上記通信制御部２０８及び接続手段２を介してＰＣ１００と接続されており、ＰＣ１００と情報の送受が可能となっている。
【００４６】
このような構成において、上記タグラベルプリンタ２００でタグラベルＴを作成する際には、操作者は、ＰＣ１００の上記操作部１０２を介し、タグラベルＴの上記無線タグ回路素子Ｔoに記録する各種情報と、タグラベルＴの表面に印字する印字情報等の設定入力と、タグラベルＴの作成指示の入力とを行う。すると、この作成指示に対応した作成指示信号が、接続手段２を介してタグラベルプリンタ２００に送信される。作成指示信号を受信したタグラベルプリンタ２００は、制御回路２０２の制御により、上記設定入力情報に対応した印字を印字ヘッド２０５により行う。また、タグラベルプリンタ２００は、高周波回路２０１によりアクセス情報を生成し、装置側アンテナ２０６を介し無線タグ回路素子Ｔoへ送信する。これにより、無線タグ回路素子ＴoのＩＣ回路部１５０へ各種情報の書き込みが行われ、タグラベルＴが作成される。
【００４７】
図３は、上記タグラベルＴに備えられた上記無線タグ回路素子Ｔoの機能的構成の一例を表すブロック図である。
【００４８】
図３において、無線タグ回路素子Ｔoは、上述したようにタグラベルプリンタ２００の装置側アンテナ２０６と非接触で信号の送受信を行う上記タグ側アンテナ１５１と、このタグ側アンテナ１５１に接続された上記ＩＣ回路部１５０とを有している。
【００４９】
ＩＣ回路部１５０は、タグ側アンテナ１５１により受信された質問波を整流する整流部１５２と、この整流部１５２により整流された質問波のエネルギを蓄積し駆動電源とするための電源部１５３と、上記タグ側アンテナ１５１により受信された質問波からクロック信号を抽出して制御部１５７に供給するクロック抽出部１５４と、所定の情報信号を記憶し得るメモリ部１５５と、上記タグ側アンテナ１５１に接続された変復調部１５６と、上記メモリ部１５５、クロック抽出部１５４、及び変復調部１５６等を介し上記無線タグ回路素子Ｔoの作動を制御するための上記制御部１５７とを備えている。
【００５０】
変復調部１５６は、タグ側アンテナ１５１により受信された上記無線タグ情報通信装置１の装置側アンテナ２０６からの通信信号の復調を行い、また、上記制御部１５７からの返信信号を変調し、タグ側アンテナ１５１より応答波（識別情報であるタグＩＤを含む信号）として送信する。
【００５１】
クロック抽出部１５４は受信した信号からクロック成分を抽出して制御部１５７にクロックを抽出するものであり、受信した信号のクロック成分の周波数に対応したクロックを制御部１５７に供給する。
【００５２】
制御部１５７は、上記変復調部１５６により復調された受信信号を解釈し、上記メモリ部１５５において記憶された情報信号に基づいて返信信号を生成し、この返信信号を上記変復調部１５６により上記タグ側アンテナ１５１から返信する制御等の基本的な制御を実行する。
【００５３】
ここで、本実施形態の最も大きな特徴は、タグラベルプリンタ２００が、タグラベルＴを作成する際に、所定の情報を提供するサイトのＲＳＳデータが格納されたＲＳＳサイトのＵＲＬと、上記サイトが提供する情報（サイト情報）の取得及び表示を読み取り側のＰＣ端末（後述）に行わせるためのウィジェットとを、無線タグ回路素子Ｔoに書き込むことにある。
【００５４】
ＲＳＳとは、所定の情報提供サイトの更新情報（更新日時や各種書誌事項などを含む）などを配信、取得、表示するための仕組みである。本実施形態では、前述のＲＳＳサーバ７内で管理するＲＳＳサイトが、情報提供サイトとしての所定のニュースサイト（情報提供サーバ６内で管理）のＵＲＬをまとめてＲＳＳデータとして作成・記憶している。
【００５５】
ウィジェットとは、特定のアプリケーション（又は基本ＯＳ内部で用意されるウィジェットエンジンに含まれている命令セット等）を利用することで実行可能な、簡易な態様のプログラムである（ガジェットと称されることもある）。典型的には、パソコンにおけるアプリケーションソフトやデスクトップ上で動作する小規模なソフトウェア（アクセサリーソフトや単機能プログラム等）である。
【００５６】
図４は、タグラベルＴが有する無線タグ回路素子ＴoのＩＣ回路部１５０の上記メモリ部１５５におけるデータ構成を示すメモリマップの一例を表す図である。
【００５７】
この図４に示す例では、無線タグ回路素子ＴoのＩＣ回路部１５０の上記メモリ部１５５における記憶空間には、デバイス予約領域と、ＲＳＳ領域と、パラメータ領域と、アプリケーション領域とが区分けされて設けられている。
【００５８】
デバイス予約領域は、無線タグ回路素子Ｔoの個体を識別するために一意的に定義されたタグＩＤ（ＵＩＤ）などが記録された、ユーザーが自由に書き込むことができない記憶領域である。
【００５９】
ＲＳＳ領域は、後述するＲＳＳサイト（ＲＳＳデータを配信するサイト）の格納先情報（ＵＲＬ）を記憶する領域である。
【００６０】
アプリケーション領域は、上記ウィジェットプログラムの実行ファイル（又はその圧縮ファイル）を記憶する領域である。ウィジェットプログラムは、マークアップ言語（例えば「ＸＭＬ」等）やスクリプト言語を用いて上記命令セットを呼び出すだけの簡易な記述ですむことから、プログラムファイルそのものの容量は非常に小さくできる。このため、このアプリケーション領域に対し、そのまま容易に記録（もしくは圧縮したファイルを記録）可能である。なお、この例では、後述するように、ニュースサイトにアクセスして表示するティッカー型ＲＳＳリーダのウィジェットが書き込まれる。
【００６１】
パラメータ領域は、上記ウィジェットプログラムに基づきＰＣ１００の表示部１０１において表示を実行する際における、各種の表示パラメータ（表示指示情報）を記憶する領域である。表示パラメータとしては、表示ウィンドウの表示部位・位置（表示位置情報）、表示ウィンドウの大きさ、文字の色、背景の色、表示頻度等が考えられる。
【００６２】
本実施形態においては、上記の情報を無線タグ回路素子Ｔoに記憶させたタグラベルＴを作成し、タグラベルＴに対しタグリーダ４００（後述）が情報の読み取りを行う。これにより、メモリ部１５５のＲＳＳ領域よりＲＳＳサイトのＵＲＬ（格納先情報）を読み取ることができ、またメモリ部１５５のアプリケーション領域に記憶されている上記ウィジェットプログラムを取得することができる。そして、そのタグリーダに接続された読み取り側のＰＣ端末３００（後述）が、当該ＲＳＳサイトにアクセスしてＲＳＳデータを取得することで、その取得したＲＳＳデータに含まれている所定の情報提供サイトのＵＲＬに対し、読み取り側ＰＣ端末でアクセスを行うことができる。これにより、読み取り側ＰＣ端末は当該情報提供サイトで提供される上記サイト情報を取得し、その取得した情報を、アプリケーション領域から取得した上記ウィジェットプログラムを用いて表示を行うことができる。以下、それらの内容の詳細を図５〜図２１を用いて順次説明する。
【００６３】
図５は、本実施形態における主な情報の流れを概念的に説明する図である。
【００６４】
図５において、書き込み側ＰＣ１００の制御回路１０５には、基本ＯＳ（オペレーティングシステム）と、タグラベルプリンタ２００を制御するためのタグメーカドライバ（プログラム群）と、タグラベル作成用プログラムとが備えられている。書き込み側ＰＣ１００は、上記タグ作成用プログラムに基づき、表示部１０１への表示を行うと共に、上記操作部１０２を介した操作者からの設定や指示の入力を受け付ける。そして、上記タグメーカドライバを利用して、タグラベルプリンタ２００において無線タグ回路素子Ｔoへの情報の書き込みとタグテープ２０３への印字とを行い、タグラベルＴを作成する。このタグラベルＴへの書き込みの際には、前述したように、無線タグ回路素子Ｔoのメモリ部１５５に備えられた、ＲＳＳ領域に対しＲＳＳサイトのＵＲＬを書き込み、アプリケーション領域に対し上記ティッカー型ＲＳＳリーダのウィジェット（以下、ニュースティッカーウィジェットという）を書き込み、パラメータ領域に対し上記表示パラメータを書き込む。
【００６５】
一方、図５において、前述した、タグリーダ４００と、読み取り側のＰＣ端末３００（例えばＰＣ１００と同じ構成である。以下適宜、「読み取り側ＰＣ３００」という）とが設けられている。
【００６６】
タグリーダ４００は、タグラベルＴ（この例では適宜の物品Ｂに貼付されている）からアンテナ４０１を介した無線通信により情報の読み取りを行う。タグリーダ４００には、上記読み取り側ＰＣ３００が接続されている。
【００６７】
読み取り側ＰＣ３００は、上記同様、通信ネットワーク５を介してＲＳＳサーバ７及び各情報提供サーバ６にアクセス可能に接続されている。そして、読み取り側ＰＣ３００（詳細には例えば制御回路１０５と同様の制御回路）には、基本ＯＳ（オペレーティングシステム）と、タグリーダ４００を制御するためのタグリーダドライバ（プログラム群）とが備えられている。なお、この例では、後述するウィジェットプログラムを動作させるための命令セット（プログラム群）を含むウィジェットエンジンも備えられている（ウィジェットと同様に、タグラベルＴから読み取るようにしてもよい）。
【００６８】
また、読み取り側ＰＣ３００は、上記タグリーダドライバを用い、タグリーダ４００を介し、タグラベルＴの無線タグ回路素子Ｔoに記憶されている上記ＲＳＳサイトのＵＲＬを読み取るとともに、上記ウィジェットプログラム（ニュースティッカーウィジェットＷｒ）を読み取り、読み取り側ＰＣ３００内にインストールする。このとき併せて、タグリーダ４００を介し、タグラベルＴのメモリ部１５５のパラメータ領域から読み取った表示パラメータも取得する。なお、後述するようなセキュリティ確保用の認証タグがタグラベルＴとともに発行されている場合には、上記無線タグ回路素子Ｔoからの読み取りの際、タグラベルＴと対応する上記認証タグとを併せて読み取りを行わないと、読み取りが行われない（あるいは読み取った情報が実効化しない）ようにしてもよい。これにより、例えば悪意のある者がウィルス入りのタグの読み取りを行わせることによるウィルス感染を防止することができる。
【００６９】
そして、読み取り側ＰＣ３００は、ニュースティッカーウィジェットＷｒを用いて、上記取得したＲＳＳサイトのＵＲＬに基づきＲＳＳサイトにアクセスし、ＲＳＳデータを取得する。そして、このＲＳＳデータに含まれている所定のニュースサイトのＵＲＬ（１つでもよいし、複数でもよい）を取得し、これらＵＲＬにそれぞれアクセスする。そして、各ニュースサイトの最新の見出し（例えば、最新のニューストピックスの要約や、文書内容の最初の所定数の文字列でもよい）と更新日時（更新日時情報）を取得し、ウィジェットエンジンの命令セットを利用して表示部３０１にテキスト表示する（詳細は後述）。この表示部３０１への表示を行う際には、上記取得された表示パラメータに基づいた表示態様で表示する。なお、この例では、ニュースティッカーウィジェットは、同じウィジェットエンジンを利用して実行する他の複数のウィジェットと同時に表示・実行できるようになっている。
【００７０】
図６は、上記タグラベルＴの作成の際において、前述のタグラベル作成用プログラムＷｍに基づき、書き込み側ＰＣ１００の表示部１０１に表示される一表示例を表す図である。
【００７１】
図６に示す表示例において、テンプレートファイル画面５４と、ＲＳＳサイトのＵＲＬの記入欄５５と、テキストオブジェクトの記入欄５６と、モデルテキストの記入欄５７とが備えられている。
【００７２】
操作者がタグラベルＴを作成するときは、タグテープ２０３の表面に印字する印字画像のひな形としてのテンプレートファイルを用いる。操作者は、参照ボタン５１から（又は操作部１０２の直接入力によって）ファイルパスを指定することによって、多様なバリエーションで複数用意されているテンプレートファイルから１つを選択し、テンプレートファイル画面５４として表示させる。この際、選択したテンプレートファイルに含まれているモデルテキスト（図示する例の「Company」、「Title」、「00/00/00」）が、モデルテキスト記入欄５７に表示される。この状態で、操作者が、各モデルテキストにそれぞれ対応するテキストオブジェクトをテキストオブジェクト記入欄５６に記入する。これにより、テンプレートファイルに設定されている各モデルテキストを、同じ配置や文字の大きさのまま、対応するテキストオブジェクトの内容に置換した印刷画像データが作成される。この印刷画像は、印刷画面プレビューボタン５２を用いることで表示させることができる。このようにして、タグテープ２０３の上記印字領域への印字内容を決定することができる。
【００７３】
またＲＳＳサイトＵＲＬ記入欄５５は、前述した無線タグ回路素子Ｔoのメモリ部１５５の上記ＲＳＳ領域に書き込む格納先情報（ＵＲＬ）を指定する欄である。操作者は、操作部１０２（キーボードなど）によってこの記入欄５５にＵＲＬを直接記入することができる。また、いわゆるＧＵＩ（Graphical  User  Interface）環境においてマウスなどのポインティングデバイスを用いて行われるドラッグ・アンド・ドロップ（Drag  and  Drop）の操作によってもＵＲＬを記入可能となっている（詳細は後述）。
【００７４】
図７は、上記した、ＲＳＳサイトＵＲＬ記入欄５５に対しＵＲＬデータをドロップ入力する操作の一例を表示部１０１上の画像で表した図である。なお、図示する例では、一般的なＧＵＩ環境での表示とファイル操作が可能となっているものとする。
【００７５】
図７において、表示部１０１には、上記タグ作成用プログラムＷｍの他に、ＲＳＳサイトにアクセスしてＲＳＳデータ（ＸＭＬファイルのソース）を表示しているＷＥＢブラウザＷｂのアプリケーションが併せて表示されている。操作者は、当該ＷＥＢブラウザＷｂにおけるＵＲＬ表示欄５９からＵＲＬデータ（ＵＲＬの文字列、又は対応するアイコン）をカーソルＣでドラッグし、これをタグ作成用プログラムＷｍにおけるＵＲＬ記入欄５５にドロップすることでＵＲＬデータを簡易に入力することができる。
【００７６】
なお、前述したように、ＵＲＬ記入欄５５に直接キーボード入力でＵＲＬの文字列を入力してもよいし、また、特に図示しないが、カーソル指定などでＷＥＢブラウザＷｂのＵＲＬ表示欄５９内のＵＲＬ文字列を全指定コピーし、タグ作成用プログラムＷｍのＵＲＬ記入欄５５にペースト（貼り付け）することでＵＲＬの入力を行えるようにしてもよい。
【００７７】
そしてこのようにＵＲＬ記入欄５５に入力がなされ、それが適正なＵＲＬデータであって、そのＵＲＬ先から取得した情報がＲＳＳ又はＲＤＦを含むＸＭＬファイルである場合には、ＵＲＬ記入欄５５に当該ＵＲＬの文字列が表示される。なお、図示する例では、入力されたＵＲＬの文字列が文字数制限の９０字以内であるため（後述）、ＵＲＬ記入欄５５の背景が白色のままである。また、モデルテキストのタイトル（「Title」）に対応するテキストオブジェクトが未記入であったために、ＲＳＳデータのＸＭＬファイルに記述されているタイトル「△△△ニュース・トピック−スポーツ」がそのままタイトル対応のテキストオブジェクトとして代入・表示されている。
【００７８】
以上のようにして、図８に示すように、必要情報が記入、表示された状態のテンプレートファイル画面５４が実現される。そして、ＲＦＩＤラベル作成ボタン５３を操作することで、タグラベルプリンタ２００において、上記印刷画像データによるタグテープ２０３への印字と、無線タグ回路素子Ｔoへの上記ＲＳＳサイトのＵＲＬの書き込み（及び別途設定された表示パラメータ、ニュースティッカーウィジェットのプログラムファイル）とが行われ、タグラベルＴが作成される。なお、このようなタグラベルＴを発行するときに、上述したようなセキュリティ確保用の認証タグ（特に図示せず）を別途発行するようにしてもよい。
【００７９】
図９は、上記のような操作によりタグラベルプリンタ２００で作成されたタグラベルＴの外観の一例を表す上面図である。
【００８０】
図９において、タグラベルＴの表面には、各モデルテキストの表示態様（文字の大きさや配置；図８参照）をそのままにそれぞれ対応するテキストオブジェクトの文字列（図８参照）が印字されている。そしてタグラベルＴの内部には、ダイポールアンテナであるタグ側アンテナ１５１とＩＣ回路部１５０とを備えた無線タグ回路素子Ｔo（図中破線で表示）が設けられている。
【００８１】
一方、前述したように、読み取り側ＰＣ３００は、上記ニュースティッカーウィジェットを実行することにより、上記のようにして作成されたタグラベルＴを操作者がタグリーダ４００に近づけるだけで、当該タグラベルＴが備えている無線タグ回路素子Ｔoのメモリ部１５５のＲＳＳ領域に記録されているＵＲＬのＲＳＳサイトにアクセスして所定のニュースサイトのＵＲＬを取得し、さらにそのＵＲＬによって当該ニュースサイトにアクセスしてそのサイトの提供するサイト情報（ニュース見出し等）を取得し、メモリ部１５５のパラメータ領域に記録されている表示パラメータに従った表示態様で表示部３０１に表示させることができる。このようなニュースティッカーウィジェットの具体的な操作の手順と、それによる表示部３０１での表示例を図示しながら説明する。
【００８２】
まず、前述したように、ニュースティッカーウィジェットのプログラム自体を、タグラベルＴの無線タグ回路素子Ｔoのメモリ部１５５におけるアプリケーション領域から読み取って読み取り側ＰＣ３００にインストールする。この際には、例えば、図１０に示すように、タグリーダ制御用のアプリケーション（タグリーダドライバを使用）を利用してメモリ部１５５のアプリケーション領域からウィジェットプログラムのファイルを読み取り、読み取り側ＰＣ３００にインストールする。
【００８３】
そして、このインストールしたニュースティッカーウィジェットのプログラムを起動する。なお、このウィジェットプログラムを起動する場合、例えばウィジェットエンジンを有効に作動可能な状態にする必要がある。なお、ウィジェットエンジンがあらかじめ基本ＯＳに組み込まれている場合はウィジェットエンジンの起動操作は特に必要ない。
【００８４】
そして、ニュースティッカーウィジェットを起動している状態で、タグラベルＴをタグリーダ４００のリーダアンテナ４０１付近に位置させる。これにより、自動的にタグラベルＴの無線タグ回路素子Ｔoのメモリ部１５５の各領域に記憶されている情報が読み取られる。そのうちメモリ部１５５のＲＳＳ領域から読み取ったＵＲＬに基づいてＲＳＳサイトにアクセスし、そこから取得したＲＳＳデータに含まれているＵＲＬから各ニュースサイトにアクセスし、そしてそれらニュースサイトからサイト情報が取得される。
【００８５】
こうして取得されたサイト情報は、図１１に示すようにウィンドウＷ内に表示される。このとき、メモリ部１５５のパラメータ領域から読み取った表示パラメータに従った表示がなされる。図示の例では、上記表示パラメータに従い、表示部３０１の画面下方側（＝表示部位）で左右全幅に渡って文字列１行分の高さのウィンドウＷが表示されている。そして、その中の左側端部にＲＳＳサイトの名前である「経済ニュース」が表示され、それより右側のほとんどの部分でニュースサイトの概要トピックや最初の文字列等の見出しが横スクロール移動しながら表示される。なお、各見出しに更新情報としての最新更新日時を併記したり、特にその最新更新日時が比較的最近である場合にはその旨を示す「Ｎｅｗ」などの文字を併記するようにしてもよい。
【００８６】
そしてウィンドウＷ内に表示する見出しの表示部分は、それぞれ対応するＵＲＬとリンクしており（いわゆるＧＵＩ環境でのハイパーショートカット）、それら見出しの指定と実行操作を行うことにより直接対応するサイトへアクセスして自動的にブラウザなどでＷＥＢページＢとして完全に表示することができる（図１２参照）。このようにして、操作者は所定のニュースサイトを初めから全てブラウザで表示せずとも、それらの更新状況や最新サイト情報の概要を容易に一覧することができ、そのうちの必要と思われるものだけをすぐにブラウザで完全に表示させて効率のよい情報の検出・閲覧を行うことができる。
【００８７】
図１３は、上記図９に示した構成のタグラベルＴの作成の際に、ＰＣ１００の制御回路１０５によって実行される制御手順を表すフローチャートである。
【００８８】
図１３において、まずステップＳ１００で、タグラベルプリンタ２００との接続やその他の作動状況を確認するプリンタチェック処理（後述の図１４参照）を行う。その後、ステップＳ５に移り、当該チェック処理の結果が良好であったか否か、すなわちタグラベルプリンタ２００が適切に作動可能な状態であるか否かの判定を行う。
【００８９】
プリンタチェック処理の結果が不良であった場合、ステップＳ５の判定が満たされず、すなわちタグラベルプリンタ２００に何らかの障害が発生して適切に作動できないものとみなされ、ステップＳ１０でその旨を表示部１０１に表示し、このフローを終了する。一方、プリンタチェック処理の結果が良好であった場合、ステップＳ５の判定が満たされ、ステップＳ１５へ移る。
【００９０】
ステップＳ１５では、上記タグ作成用プログラムであらかじめ初期的に設定されている既定テンプレートファイルを記憶装置１０３から検索して取得する。
【００９１】
次にステップＳ２０へ移り、上記ステップＳ１５での既定テンプレートファイルの取得が成功したか否かを判定する。記憶装置１０３から既定テンプレートファイルが検出され取得できた場合、判定が満たされ、ステップＳ２５へ移る。
【００９２】
ステップＳ２５では、操作者が、操作部１０２の入力を介し、上記ステップＳ１５で取得した既定テンプレートファイルの使用を中止し他のテンプレートファイルに変更する旨の指示をしたか否かを判定する。テンプレートファイル変更の指示がなされていない場合は、判定が満たされず、ステップＳ３５へ移る。
【００９３】
一方、上記ステップＳ２０の判定において、記憶装置１０３から既定テンプレートファイルが取得できなかった場合、判定がみたされずステップＳ３０へ移る。また、上記ステップＳ２５の判定において、テンプレートファイル変更の指示がなされている場合、判定が満たされ、ステップＳ３０へ移る。
【００９４】
ステップＳ３０では、操作者から任意のテンプレートファイルの指定入力（上述の参照ボタン５１の利用など；図６参照）を受け付ける。そして、ステップＳ２００においてテンプレートファイル設定処理（後述の図１５参照）で新しいテンプレートファイルに対する各種の設定と表示を行った後、ステップＳ３５へ移る。
【００９５】
ステップＳ３５では、操作者が、操作部１０２を介し、テキストオブジェクトを変更する旨の指示を入力したか否かを判定する。テキストオブジェクト変更の指示がなされていない場合は、判定が満たされず、ステップＳ４００へ移る。一方、テキストオブジェクト変更の指示がなされていた場合、ステップＳ３５の判定が満たされ、ステップＳ３００のテキストオブジェクト置換処理（後述の図１６参照）で新たなモデルテキストによるテンプレートファイルの検出とテキストオブジェクトの入力を行った後、ステップＳ４００へ移る。
【００９６】
ステップＳ４００では、無線タグ回路素子Ｔoのメモリ部に書き込む情報についての各種設定を行う書き込み情報設定処理（後述の図１７参照）を行い、ステップＳ４０へ移る。
【００９７】
ステップＳ４０では、操作者が、操作部１０２を介して（図６中の印刷画面プレビューボタン５２の押下など）、印刷画面をプレビュー表示させる指示を入力したか否かを判定する。印刷画面プレビュー表示の指示がなされていない場合は、判定が満たされず、ステップＳ４５へ移る。一方、印刷画面プレビュー表示の指示がなされていた場合、ステップＳ４０の判定が満たされ、ステップＳ５００へ移る。
【００９８】
ステップＳ５００では、印刷画面プレビュー処理を行う。すなわち、上記ステップＳ２００のテンプレートファイル設定処理で設定したテンプレートファイル（もしくは既定テンプレートファイル）に、上記ステップＳ３００のテキストオブジェクト置換処理で設定したテキストオブジェクトを適用し、その適用後の印刷画像をプレビュー表示する（後述の図１８参照）。その後、ステップＳ４５へ移る。
【００９９】
ステップＳ４５では、操作者が、操作部１０２を介し（図６中のＲＦＩＤラベル作成ボタン５３の押下など）、タグラベルＴを作成する指示を入力したか否かを判定する。タグラベルＴの作成指示がなされていない場合は、判定が満たされず、ステップＳ２５へ戻り同様の手順を繰り返す。一方、タグラベルＴ作成の指示がなされていた場合、ステップＳ４５の判定が満たされ、ステップＳ６００へ移る。
【０１００】
ステップＳ６００では、タグラベル作成処理を行う。すなわち、上記ステップＳ２００のテンプレートファイル設定処理と上記ステップＳ３００のテキストオブジェクト置換処理との設定により生成された印刷画像をタグテープ２０３に印字する。併せて、上記ステップＳ４００の書き込み情報設定処理の設定により生成した書き込み情報を、無線タグ回路素子Ｔoのメモリ部に無線通信を介して書き込んでタグラベルＴを作成する（後述の図１９参照）。そして、このフローを終了する。
【０１０１】
図１４は、図１３中のステップＳ１００において実行されるプリンタチェック処理の詳細手順を表すフローチャートである。
【０１０２】
図１４において、まずステップＳ１０５で、タグラベルプリンタ２００が接続手段を介して（書き込み側の）ＰＣ１００に正常に接続されているか否かを判定する。正常な接続が確認できた場合には、判定が満たされ、次のステップＳ１１０へ移る。
【０１０３】
ステップＳ１１０では、タグラベルプリンタ２００が正常に動作可能な状態であるか否かを判定する。正常動作可能であることが確認できた場合には、判定が満たされ、次のステップＳ１１５へ移る。
【０１０４】
ステップＳ１１５では、例えばタグラベルロールホルダ部２１０に設けたカートリッジセンサの検出信号に基づき、装着されている上記カートリッジが、（タグラベルプリンタ２００の適用対象としてあらかじめ定められた）適正なテープサイズ（テープ幅）のタグテープロール２０４を備えたカートリッジであるか否かを判定する。カートリッジに備えられたテープサイズが適正であった場合には、ステップＳ１１５の判定が満たされ、次のステップＳ１２０へ移る。
【０１０５】
ステップＳ１２０では、上記同様、例えばカートリッジセンサの検出信号に基づき、装着されているカートリッジが、（タグラベルプリンタ２００の適用対象としてあらかじめ定められた）適正な種類（テープ材質や、無線タグ回路素子Ｔoの種類、無線タグ回路素子Ｔoの配置ピッチなど）のタグテープロール２０４を備えたカートリッジであるか否かを判定する。カートリッジに備えられたテープ種類が適正であった場合には、ステップＳ１２０の判定が満たされ、プリンタチェック処理の結果が良好であったとしてこのフローを終了する。
【０１０６】
また一方で、上記ステップＳ１０５の判定においてタグラベルプリンタ２００の接続に異常を検出した場合、上記ステップＳ１１０の判定においてタグラベルプリンタ２００の作動に異常を検出した場合、上記ステップＳ１１５の判定においてタグテープロール２０４のテープサイズが不適切であると確認した場合、上記ステップＳ１２０の判定においてタグテープロール２０４のテープの種類が不適切であると確認した場合は、それぞれにおいて判定が満たされず、ステップＳ１２５に移る。ステップＳ１２５では、表示部１０１にその旨のエラー表示を表示するエラー処理を行い、プリンタチェック処理の結果が不良であったとしてこのフローを終了する。
【０１０７】
図１５は、図１３中のステップＳ２００において実行されるテンプレートファイル設定処理の詳細手順を表すフローチャートである。
【０１０８】
図１５において、まずステップＳ２０５で、上記ステップＳ３０の手順により指定されたテンプレートファイルを、記憶装置１０３（もしくは記録媒体やＰＣ１００に接続する外部記憶装置やデータベースなどでもよい）から検出し、取得する。
【０１０９】
次にステップＳ２１０へ移り、上記ステップＳ２０５の手順で指定テンプレートファイルが取得できたか否かを判定する。指定テンプレートファイルが取得できなかった場合、判定が満たされず、ステップＳ２１５で表示部１０１にその旨のエラー表示を行い、このフローを終了する。一方、指定テンプレートファイルが取得できた場合、ステップＳ２１０の判定が満たされ、ステップＳ２２０へ移る。
【０１１０】
ステップＳ２２０では、上記ステップＳ２０５で取得した指定テンプレートファイル（印字する文字情報とその表示態様情報からなるデータ）をビット・マップデータ（表示部１０１に直接出力して表示可能なビットデータ；図中では「Ｂｍｐ」と略記）に変換する。なお、この時点ではモデルテキストはテキストオブジェクトに置換されていないため、モデルテキストそのまま（前述の例では「Company」、「Title」など）となっている。
【０１１１】
次にステップＳ２２５へ移り、上記ステップＳ２２０で変換したビット・マップデータを前述のテンプレートファイル画面５４（図６参照）に表示させる。これにより、操作者は、指定テンプレートファイルの内容（各モデルテキストに対応する印字文字の大きさや配置、罫線など）を視認可能となる（図８参照）。
【０１１２】
次にステップＳ２３０へ移り、既定テンプレートファイル（タグラベル作成用プログラムに初期的に設定されうるテンプレートファイル）が未設定であるか否かを判定する。既定テンプレートファイルが設定されている場合、判定が満たされず、次のステップＳ２４０へ移る。一方、既定テンプレートファイルが設定されていない場合、ステップＳ２３０の判定が満たされ、ステップＳ２３５へ移る。ステップＳ２３５では、上記指定テンプレートファイルを既定テンプレートファイルとして設定してステップＳ２４０へ移る。
【０１１３】
ステップＳ２４０では、テキストオブジェクトの記入欄５６（図６参照）にすでにテキストオブジェクトが記入されているか否かを判定する。まだテキストオブジェクトが記入されていない場合、判定が満たされず、そのままこのフローを終了する。一方、テキストオブジェクトが記入されている場合、ステップＳ２４０の判定が満たされ、ステップＳ２４５へ移る。
【０１１４】
ステップＳ２４５では、操作者が、操作部１０２を介して、テキストオブジェクトを全削除する指示を入力したか否かを判定する。テキストオブジェクト全削除の指示がなされていない場合は、判定が満たされず、そのままこのフローを終了する。一方、テキストオブジェクト全削除の指示がなされていた場合、ステップＳ２４５の判定が満たされ、ステップＳ２５０で記入欄５６に記入されている全てのテキストオブジェクトを削除して、このフローを終了する。
【０１１５】
図１６は、図１３中のステップＳ３００において実行されるテキストオブジェクト置換処理の詳細手順を表すフローチャートである。
【０１１６】
図１６において、まずステップＳ３０５で、モデルテキストの記入欄５７（図６参照）を全て記入可能に開放する（それまでは記入欄５７の枠が表示されていても内部に記入できなくなっている）。
【０１１７】
次にステップＳ３１０へ移り、操作者から操作部１２０を介して入力されたモデルテキスト（例えばタイトルを表す「Title」、会社名を表す「Company」、及び日付を表す「00/00/00」；前述の図６、図８参照）を取得する。その後、次のステップＳ３１５で、それら取得したモデルテキストを含むテンプレートファイルを記憶装置１０３などから検出する。
【０１１８】
次にステップＳ３２０で、上記ステップＳ３１５の手順でテンプレートファイルの検出に成功したか否かを判定する。検出に失敗した場合は、判定が満たされずにステップＳ３１０へ戻って同様の手順を繰り返す。一方、検出に成功した場合は、ステップＳ３２０の判定が満たされてステップＳ３２５へ移る。
【０１１９】
ステップＳ３２５では、テキストオブジェクトの記入欄５６（図６参照）を全て記入可能に開放する。これにより、それまで開放されていたモデルテキストの記入欄５７が記入できないようになる。
【０１２０】
次にステップＳ３３０へ移り、操作者から操作部１０２を介して入力されたテキストオブジェクト（例えば上記「Title」に対応する「△△△ニュース・トピック・スポーツ」、上記「Company」に対応する「brother」、及び上記「00/00/00」に対応する「07/10/17」；前述の図６、図８参照）を取得する。
【０１２１】
そして次のステップＳ３３５で、上記ステップＳ３３０で入力されたテキストオブジェクトがそれぞれ制限文字数（この例では５０字）を超過したか否かを判定する。制限文字数を超過していない場合、判定が満たされず、ステップＳ３４０に移る。ステップＳ３４０では、テキストオブジェクトの記入欄５６（図６参照）の背景を白色（通常状態を示す）にして、このフローを終了する。一方、制限文字数を超過している場合、ステップＳ３３５の判定が満たされ、ステップＳ３４５でテキストオブジェクトの記入欄５６の背景を赤色（警告状態を示す）にして、このフローを終了する。
【０１２２】
図１７は、図１３中のステップＳ４００において実行される書き込み情報設定処理の詳細手順を表すフローチャートである。
【０１２３】
図１７において、まずステップＳ４０５で、タグ作成用プログラムにおける設定環境（特に図示、説明せず）で、ＲＳＳサイトのＵＲＬの記入欄５５（図６参照）に対して操作部１０２のキーボード操作による手動入力を許可しているか否かを判定する。キーボード操作によるＵＲＬ入力を許可している場合、判定が満たされ、ステップＳ４１０で、操作者から操作部１０２（キーボード）を介して入力されたＲＳＳサイトのＵＲＬを取得し、ステップＳ４６０へ移る。
【０１２４】
一方、キーボード操作によるＵＲＬ入力が許可されていない場合、ステップＳ４１０の判定が満たされず、ステップＳ４１５へ移る。ステップＳ４１５では、マウスなどのポインタデバイスを用いたドラッグ・アンド・ドロップ操作（ドラッグ操作、操作手段の所定の操作）によるＲＳＳサイトのＵＲＬを取得する（図７参照）。
【０１２５】
次にステップＳ４２０へ移り、上記ステップＳ４１５で入力されたのはＵＲＬデータであるか否かを判定する。入力されたのがＵＲＬデータである場合、判定が満たされ、次のステップＳ４２５へ移る。
【０１２６】
ステップＳ４２５では、通信ネットワーク５を介してＵＲＬが示す格納先（つまりＲＳＳサーバ７内のＲＳＳサイト）に格納されている情報（ＲＳＳデータのタイトルやＲＳＳサイトのタイトルを含む）を取得し、次のステップＳ４３０でこの取得した情報がＸＭＬファイルであるか否かを判定する。取得した情報がＸＭＬファイルである場合、判定が満たされ、次のステップＳ４３５へ移る。
【０１２７】
ステップＳ４３５では、取得したＸＭＬファイルのソース中にＲＳＳ又はＲＤＦ（ＲＳＳのバージョンの１つ）の書式が記述されているか否かを判定する。ＸＭＬファイルのソース中にＲＳＳ又はＲＤＦが記述されている場合、判定が満たされ、すなわち入力されたＵＲＬがＲＳＳサイトのものであってそこから取得した情報がＲＳＳデータであるものとみなされて、次のステップＳ４４０へ移る。
【０１２８】
また一方で、上記ステップＳ４２０の判定において入力されたのがＵＲＬデータでなかったかもしくは適切な記載で入力されていなかった場合、上記ステップＳ４３０の判定において取得した情報がＸＭＬファイルでなかった場合、取得したＸＭＬファイルのソース中にＲＳＳもしくはＲＤＦが記述されていない場合、それぞれにおいて判定が満たされず、ステップＳ４４０に移る。ステップＳ４４０では、表示部１０１にその旨のエラー表示を表示し、このフローを終了する。
【０１２９】
ステップＳ４４５では、上記ステップＳ４１５で入力されたＵＲＬをＵＲＬ記入欄５５（図６参照）に表示する。
【０１３０】
次にステップＳ４５０へ移り、モデルテキストに「Title」が記入されている場合であって、かつ、それに対応するテキストオブジェクトの記入欄５６（図６参照）が空白になっている（つまり未記入）か否かを判定する。モデルテキストに「Title」がない、又は「Title」のモデルテキストがあってもそれに対応するテキストオブジェクトとしてすでに操作者から任意のタイトルが記入されている場合、判定は満たされず、ステップＳ４６０へ移る。一方、「Title」のモデルテキストがあってさらに対応するテキストオブジェクトの記入欄５６が空白である場合、ステップＳ４５０の判定が満たされ、すなわち操作者からはタグラベルＴに印字するタイトルがまだ入力されていないものとみなされ、次のステップＳ４５５に移る。
【０１３１】
ステップＳ４５５では、上記ステップＳ４２５で取得したＲＳＳデータのタイトル（又は取得したＲＳＳサイトのタイトル）を「Title」のモデルテキストに対応するテキストオブジェクトとして記入欄５６に記入する。これにより、タグラベル作成時の印字内容を操作者がいちいち手動入力しなくても、ＲＳＳデータへのアクセスに対応して自動的に印字領域への印字内容が設定される。この結果、上記無線タグ回路素子Ｔoへの記憶内容、及びそれに基づく上記の機能を印字によって視覚的に明確化したタグラベルＴを容易に作成することができる。したがって、ニュースサイトからの情報入手のためのタグラベルＴ作成時における、操作者の利便性を向上することができる。
【０１３２】
そしてステップＳ４６０に移り、上記ステップＳ４１０又は上記ステップＳ４１５で入力されたＵＲＬがそれぞれ制限文字数（この例では９０字）を超過したか否かを判定する。制限文字数を超過していない場合、ステップＳ４６０の判定が満たされず、ステップＳ４６５でＵＲＬの記入欄５５の背景を白色（通常状態を示す）にして、このフローを終了する。一方、制限文字数を超過している場合、ステップＳ４６０の判定が満たされ、ステップＳ４６５でＵＲＬの記入欄５５の背景を赤色（警告状態を示す）にして、このフローを終了する。
【０１３３】
図１８は、図１３中のステップＳ５００において実行される印刷画面プレビュー処理の詳細手順を表すフローチャートである。
【０１３４】
図１８において、まずステップＳ５０５で、テンプレートファイル中のモデルテキストの文字を、この時点でそれぞれ対応して設定されているテキストオブジェクトの文字に置換して（モデルテキストの表示態様はそのまま）、表示用のテンプレートファイルを仮生成する。なお、この時点でまだテキストオブジェクトが入力されていない場合は、モデルテキストの内容をそのまま残す。
【０１３５】
次にステップＳ５１０へ移り、上記ステップＳ５０５で仮生成した表示用テンプレートファイルをビット・マップデータに変換する。
【０１３６】
その後、次のステップＳ５１５で、上記ステップＳ５１０で変換したビット・マップデータをテンプレートファイル画面５４（図６参照）に表示させる。これにより、操作者は表示用テンプレートファイルの内容を視認可能となる。そして、このフローを終了する。
【０１３７】
図１９は、図１３中のステップＳ６００において実行されるタグラベル作成処理の詳細手順を表すフローチャートである。
【０１３８】
図１９において、まずステップＳ６０５で、ＵＲＬ記入欄５５（図６参照）にＵＲＬがすでに記入されているか否かを判定する。ＵＲＬ記入欄５５にまだＵＲＬが記入されていない場合、判定が満たされず、ステップＳ６６０で表示部１０１にその旨のエラー表示を行い、このフローを終了する。一方、ＵＲＬ記入欄５５にＵＲＬが記入済みである場合、ステップＳ６０５の判定が満たされ、次のステップＳ６１０へ移る。
【０１３９】
ステップＳ６１０では、操作者が操作部１０２を介し、タグラベルプリンタ２００の動作状態を確認させる指示を入力したか否かを判定する。プリンタ確認の指示がなされていない場合は、判定が満たされず、ステップＳ６２０へ移る。一方、プリンタ確認の指示がなされていた場合、ステップＳ６１０の判定が満たされ、次のステップＳ１００へ移る。
【０１４０】
ステップＳ１００では、前述と同様、タグラベルプリンタ２００との接続やその他の作動状況を確認する上記プリンタチェック処理（前述の図１４参照）を行う。その後、ステップＳ６１５で当該チェック処理の結果が良好であったか否か、すなわちタグラベルプリンタ２００が適切に作動可能な状態であったか否かの判定を行う。
【０１４１】
プリンタチェック処理の結果が不良であった場合、ステップＳ６１５の判定が満たされず、すなわちタグラベルプリンタ２００に何らかの障害が発生して適切に作動できないものとみなされ、ステップＳ６６０でその旨を表示部１０１に表示し、このフローを終了する。一方、プリンタチェック処理の結果が良好であった場合、ステップＳ６１５の判定が満たされ、次のステップＳ６２０へ移る。
【０１４２】
ステップＳ６２０では、テンプレートファイル中のモデルテキストの文字をそれぞれ対応するテキストオブジェクトの文字に置換して作成用テンプレートファイルを作成する。その後、次のステップＳ６２５で、ステップＳ６２０で作成した作成用テンプレートファイルをビット・マップデータに変換する。
【０１４３】
そして、ステップＳ６３０へ移り、上記作成用テンプレートファイルのビット・マップデータの情報を印字ヘッド２０５に出力する。具体的には、例えばビット・マップデータのビット配列をタグテープ２０３の搬送方向に対応して並べ替え、印字ヘッド２０５の発熱素子に順次出力する。これにより、タグテープ２０３の表面に作成用テンプレートファイルの画像内容が印字される（後述の図９参照）。なお、この時点ですでに搬送装置２０９の作動が開始しており、タグテープ２０３の搬送と停止が適宜制御されるようになっている。
【０１４４】
次にステップＳ６３５へ移り、装置側アンテナ２０６を介した無線通信によってタグテープ２０３内に備えられている無線タグ回路素子Ｔoのメモリ部１５５における上記ＲＳＳ領域、上記パラメータ領域、上記アプリケーション領域に対し、それぞれ、上記ＲＳＳサイトのＵＲＬ、表示パラメータ（特に説明していないが、別途手段で作成）、及びウィジェットプログラムファイル（本実施形態の例ではニュースティッカーウィジェットのプログラム）を書き込む。そして次のステップＳ６４０で、タグテープ２０３の切断と排出を行うことでタグラベルＴを発行する。
【０１４５】
次にステップＳ６４５へ移り、カートリッジ内における無線タグ回路素子Ｔoの残数が０であるか否かを判定する。このカウントは、タグテープロールホルダ部２１０へのカートリッジの最初の装着時に、カートリッジセンサの検出結果で未使用カートリッジの無線タグ回路素子Ｔoの全数を検出した後、作成枚数に応じてその全数を減じていく手法が考えられる。また、無線タグ回路素子Ｔoそれぞれからカートリッジ内のタグテープ２０３に配列されたうち何番目であるかという順番情報を無線通信により取得する手法でもよい。その他適宜の手法でカウントしてもよい。タグテープロール２０４に無線タグ回路素子Ｔoが残っていない場合、判定が満たされ、すなわち装着しているカートリッジではこれ以上タグラベルＴを作成できないためカートリッジを交換する必要があるものとみなされ、ステップＳ６６０で表示部１０１にその旨のエラー表示を行い、このフローを終了する。一方、タグテープロール２０４に無線タグ回路素子Ｔoが残っている場合、ステップＳ６４５の判定が満たされず、次のステップＳ６５０へ移る。
【０１４６】
ステップＳ６５０では、別途の設定操作（例えば操作部１０２を介した操作。特に図示せず）により指定されている枚数分だけタグラベルＴの作成が終了したか否かを判定する。まだ指定枚数分に満たない場合、判定が満たされず、ステップＳ６３０へ移り同様の手順を繰り返す。一方、指定枚数分のタグラベルＴの作成が終了している場合、ステップＳ６５０の判定が満たされ、次のステップＳ６５５で表示部１０１にタグラベルＴの作成が終了した旨の表示を行い、このフローを終了する。
【０１４７】
以上において、タグラベルプリンタ２００に備えられる高周波回路２０１が、各請求項記載の情報書き込み手段を構成し、この高周波回路２０１と、印字ヘッド２０５と、搬送装置２０９とが、発行処理手段を構成する。また、ＰＣ１００により実行される図１７のフローのステップＳ４２５の手順がタイトル取得手段として機能し、ステップＳ４５０の手順が印字内容決定手段として機能する。
【０１４８】
以上のように構成した本実施形態においては、タグラベルプリンタ２００が、無線タグ回路素子Ｔoと情報送受信可能な装置側アンテナ２０６を備え、タグラベルＴを発行するタグラベル作成処理を実行する。このタグラベル作成処理の際は、装置側アンテナ２０６を介し、所定のニュースサイトのＵＲＬを含むＲＳＳデータのＵＲＬ（格納先情報）と、所定の表示処理を行うためのニュースティッカーウィジェットプログラムと、表示パラメータとを無線タグ回路素子ＴoのＩＣ回路部１５１に書き込む。
【０１４９】
そして、これらはいずれもタグリーダ４００のリーダアンテナ４０１を介して読み取られる。例えばＩＣ回路部１５１から先にウィジェットプログラムが読み取られた（そしてさらにインストールされた）状態で、ＩＣ回路部１５１からＲＳＳサイトのＵＲＬが読み取られる。すると、読み取り側ＰＣ３００において、そのＵＲＬからＲＳＳデータが取得され、さらにそのＲＳＳデータに含まれているＵＲＬに基づき所定のニュースサイトにアクセスされてサイト情報が取得される。こうして取得したニュースサイトからのサイト情報は、取得された表示パラメータに対応した表示態様で表示部３０１に表示される。
【０１５０】
以上の結果、操作者は、リーダアンテナ４０１によりタグラベルＴに情報読み取りを行うだけで、自動的に、所望のニュースサイトで提供されるサイト情報を読み取り側ＰＣ３００の表示部３０１に表示させることができる。このとき、その表示態様は表示パラメータに基づいて自動的に制御されるので、表現の幅を広げることができる。この結果、例えばニュースサイトの情報配信者の意図になるべく近いような態様による表示や、操作者のニーズや用途に応じた表示（前述のように最下段に表示する等）を容易に実現することができる。また、前述したように、ニュースサイトのＵＲＬを直接タグラベルＴに書き込んでおくのではなく、当該サイトのＵＲＬを含むＲＳＳデータのＵＲＬを書き込んでおき、タグラベルＴへの情報読み取りによって上記ＲＳＳデータへアクセスするようにしている。これにより、ニュースサイトのＵＲＬに直接アクセスする場合と異なり、ニュースサイトの情報変更や情報更新が行われた場合でも当該ニュースサイトに確実にアクセスし、最新の情報を取得して表示することができる。
【０１５１】
なお、上記実施形態では、１つのタグラベルＴの無線タグ回路素子Ｔoのメモリ部１５５においてＲＳＳ領域にＲＳＳデータの取得先であるＲＳＳサイトのＵＲＬを１つだけ書き込んだ例を示したが、これに限られない。例えば、複数のＲＳＳサイトのそれぞれのＵＲＬをメモリ部１５５のＲＳＳ領域に記録しておき、それら複数のＲＳＳサイトのＵＲＬを読み出し、各ＲＳＳサイトからＲＳＳデータを取得してそれらＲＳＳデータに含まれているＵＲＬのニュースサイトにアクセスしてそれぞれのサイト情報を取得・表示するようにしてもよい。このとき１つのＲＳＳデータに複数のＵＲＬを対応させたり、複数のＲＳＳデータに１つのＵＲＬを対応させることも可能である。いずれにしても、１つのタグラベルＴを用いて、複数（又は１つ）のＲＳＳデータを介し複数（又は１つ）のニュースサイトのサイト情報を表示させることができる。この結果、各ＲＳＳサイトごとに１つずつタグラベルＴが必要な場合に比べ、操作者の利便性が向上する。また、各ＲＳＳデータごと（各ＲＳＳサイトごと、もしくは各ニュースサイトごと）に表示態様を変えることも可能である。この場合、例えば図２０に示すように、ニュースティッカーウィジェットの方で複数のＲＳＳサイトを累積登録しておき、操作者が適宜選択切り替えできるようにしてもよい。
【０１５２】
また、上記実施形態では、１つのタグラベルＴの無線タグ回路素子Ｔoのメモリ部１５５においてアプリケーション領域に１つのウィジェットプログラムだけ書き込んだ例を示したが、これに限られない。例えばメモリ部１５５のアプリケーション領域に複数のウィジェットプログラムを記録させておき、それら複数のウィジェットプログラムを読み出し、各ＲＳＳサイトからＲＳＳデータを取得してそれらＲＳＳデータに含まれているＵＲＬのニュースサイトにアクセスしてそれぞれのサイト情報を取得し、当該サイト情報を上記複数のウィジェットプログラムでそれぞれ表示するようにしてもよい。このとき、上記のようにＲＳＳデータ、ＵＲＬ、ウィジェットプログラムを１つずつ対応させるのではなく、１つのＲＳＳデータ、１つ（又は複数）のＵＲＬに複数のウィジェットプログラムを対応させたり、複数のＲＳＳデータ、１つ（又は複数）のＵＲＬに１つのウィジェットプログラムを対応させることも可能である。いずれの場合も、１つのタグラベルＴを用いて、複数（又は１つ）のウィジェットプログラムを用いてニュースサイトのサイト情報を表示させることができ、さらに操作者の利便性が向上する。また、複数のＲＳＳデータのそれぞれごと（各ＲＳＳサイトごと、若しくは各ニュースサイトごと）に使用するウィジェットプログラムを変えることも可能となり、それぞれ１つずつ別々にタグラベルＴを用意しなければならない場合に比べて、操作者の利便性を向上することができる。
【０１５３】
また、この場合にはさらに、複数のＲＳＳサイトのそれぞれと複数のウィジェットプログラムのそれぞれとを対応付け、各ＲＳＳサイトに対応するウィジェットプログラムを用いてニュースサイトのサイト情報を表示部３０１に表示させるようにしてもよい。この場合には、図２１に示すように、タグ作成用プログラムＷｍにおいて、複数のＲＳＳサイト（図示する例では３つ）のＵＲＬ記入欄５５にそれぞれ対応するウィジェットプログラムの記入欄５８を設け、入力させるようにすればよい（図示する例では２つの組み合わせのみ記入）。
【０１５４】
これにより、上記したように、複数のＲＳＳサイトもしくはニュースサイトそれぞれに対して使用するウィジェットプログラムを変えることが可能となり、サイトから提供されるサイト情報に最も適した表示内容を確実に実現することができる。また、ＲＳＳサイトとニュースサイトとの対応付けについては、上述したように、１対ｎ（ｎは２以上の整数。すなわち複数）、つまり１つのＲＳＳサイトに対してｎ個の複数のウィジェットから選択して表示させることや、ｎ対１、つまりｎ個のＲＳＳサイトから選択して１つのウィジェットで表示させることや、ｎ対ｎ、つまりｎ個の異なるＲＳＳサイトにそれぞれｎ個の異なるウィジェットを対応させて表示させることなども可能である。
【０１５５】
また、さらに、表示パラメータに含まれる複数種類の表示態様と、複数のＲＳＳデータのＵＲＬと、複数のウィジェットプログラムとをそれぞれ対応付けた形で無線タグ回路素子Ｔoに書き込むようにしてもよい。この場合は、例えば図２１のタグ作成用プログラムＷｍにおいて、ＲＳＳサイトのＵＲＬ記入欄５５とウィジェットプログラムの記入欄５８との各組み合わせそれぞれに対応して表示態様を指定する記入欄（図２１中では特に図示せず）を設け、入力させるようにすればよい。
【０１５６】
これにより、取得したウィジェットプログラムを用いてニュースサイトからのサイト情報を表示部３０１に表示させるとき、複数のニュースサイトそれぞれに対して使用するウィジェットプログラム及び表示態様を変えて、ニュースサイトから提供される情報に最も適した表示内容を確実に実現することができる。
【０１５７】
また、この実施形態では特に、表示パラメータとして、少なくとも、表示部３０１における表示部位を指定する表示位置の情報を無線タグ回路素子Ｔoに書き込んでいる。これにより、読み取り側ＰＣ３００はインストールしたニュースティッカーウィジェットプログラムを用いてニュースサイトからのサイト情報を表示部３０１に表示させるとき、例えばニュースサイトの情報配信者の意図になるべく近いような表示位置での表示や、操作者のニーズや用途に応じた最適な位置での表示等を確実に行うことができる。
【０１５８】
なお、上記実施形態において、読み取り側ＰＣ３００のニュースティッカーウィジェットが、ＲＳＳデータのＵＲＬに基づきＲＳＳデータにアクセスするタイミング、もしくは当該ＲＳＳデータに記載されているＵＲＬに基づき各ニュースサイトにアクセスするタイミングに関するアクセス時期情報（最初の時期とその後の更新間隔を含む）を、上記図１９のフローにおけるステップＳ６３５の手順で、装置側アンテナ２０６を介し無線タグ回路素子Ｔoに書き込むようにしてもよい。
【０１５９】
これにより、読み取り側ＰＣ３００が、ニュースティッカーウィジェットプログラムを用いてニュースサイトからのサイト情報を表示部３０１に表示させるにあたり、ＲＳＳデータもしくは各ニュースサイトのサイト情報へのアクセスタイミング（言い換えればＲＳＳサイトもしくはニュースサイトへのアクセスタイミング）を適宜に設定することができる。またこれにより、ニュースサイトに対し適宜の間隔で周期的にアクセスし、サイトから常に最新の情報を取得して表示することが可能となり、操作者の利便性を向上することができる。
【０１６０】
また、以上においては、移動中のタグテープ２０３に対して情報の書き込みや印字を行う例を示したが、これに限られず、タグテープ２０３等を所定位置で停止させて（さらに書き込みについては所定の搬送ガイドにて保持した状態としてもよい）上記印字や書き込みを行うようにしてもよい。
【０１６１】
また、以上において、印字及び無線タグ回路素子Ｔoへのアクセス（書き込み）の終了したタグテープ２０３をカッタ２０７で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ２０７で切断しなくても、テープが排出口から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０１６２】
また、以上においては、タグテープ２０３に備えられた被印字テープ層に印字を行う方式（貼りあわせを行わないタイプ）であったが、これに限られず、無線タグ回路素子Ｔoを備えたタグテープ２０３とは別のカバーフィルム（被印字媒体）に印字を行ってこれらを貼り合わせる方式に本発明を適用してもよい。さらに、無線タグ回路素子ＴoのＩＣ回路部１５０から無線タグ情報の書き込みを行うと共に、印字ヘッド２０５によってその無線タグ回路素子Ｔoを識別するための印刷を行うものにも限られない。この印刷は必ずしも行われなくともよく、無線タグ情報の書き込みのみを行うものに対し本発明を適用することもできる。
【０１６３】
さらに、以上は、タグテープ２０３がリール部材の周りに巻回されてロールを構成し、カートリッジ内にそのロールが配置されてタグテープ２０３が繰り出される場合を例にとって説明したが、これに限られない。例えば、無線タグ回路素子Ｔoが少なくとも１つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベルプリンタ２００側のカートリッジホルダに装着して、上記収納部から移送、搬送して印字及び書き込みを行いタグラベルＴを作成するようにしてもよい。
【０１６４】
さらには上記ロールを直接タグラベルプリンタ２００側に着脱可能に装着する構成や、長尺平紙状あるいは短冊状のテープやシートをタグラベルプリンタ２００外より１枚ずつ所定のフィーダ機構によって移送しタグラベルプリンタ内へ供給する構成も考えられ、さらにはカートリッジのようなタグラベルプリンタ２００本体側に着脱可能なものにも限られず、装置本体側に着脱不能のいわゆる据え付け型あるいは一体型としてタグテープロールを設けることも考えられる。この場合も同様の効果を得る。
【０１６５】
また、以上既に述べた以外にも、上記実施形態や各変形例による手法を適宜組み合わせて利用しても良い。
【０１６６】
その他、一々例示はしないが、本発明は、その趣旨を逸脱しない範囲内において、種々の変更が加えられて実施されるものである。
【図面の簡単な説明】
【０１６７】
【図１】本発明の一実施形態の無線タグ作成装置を含む無線タグ作成システム全体を表すシステム構成図である。
【図２】ＰＣ及びタグラベルプリンタの詳細機能を表す機能ブロック図である。
【図３】タグラベルに備えられた無線タグ回路素子の機能的構成の一例を表すブロック図である。
【図４】タグラベルが有する無線タグ回路素子のＩＣ回路部のメモリ部におけるデータ構成を示すメモリマップの一例を表す図である。
【図５】システムにおける主な情報の流れを概念的に説明する図である。
【図６】書き込み側のＰＣの表示部に表示されるタグ作成用プログラムの一表示例を表す図である。
【図７】ＵＲＬデータをドロップ入力する操作の一例を表示部上の画像で表した図である。
【図８】必要情報が記入、表示された状態のタグ作成用プログラムの一表示例を表す図である。
【図９】タグラベルプリンタで作成されたタグラベルの外観の一例を表す上面図である。
【図１０】タグラベルからウィジェットプログラムを読み取ってインストールする操作とその表示例を示す図である。
【図１１】タグラベルからＲＳＳサイトのＵＲＬを読み取り、ニュースティッカーウィジェットのウィンドウ内にサイト情報を表示させた際の表示例を示す図である。
【図１２】見出しからリンクして対応するニュースサイトのＷＥＢページを表示させた際の表示例を示す図である。
【図１３】ＰＣの制御回路によって実行されるタグ作成用プログラムの制御手順を表すフローチャートである。
【図１４】図１３、図１９中のステップＳ１００において実行されるプリンタチェック処理の詳細手順を表すフローチャートである。
【図１５】図１３中のステップＳ２００において実行されるテンプレートファイル設定処理の詳細手順を表すフローチャートである。
【図１６】図１３中のステップＳ３００において実行されるテキストオブジェクト置換処理の詳細手順を表すフローチャートである。
【図１７】図１３中のステップＳ４００において実行される書き込み情報設定処理の詳細手順を表すフローチャートである。
【図１８】図１３中のステップＳ５００において実行される印刷画面プレビュー処理の詳細手順を表すフローチャートである。
【図１９】図１３中のステップＳ６００において実行されるタグラベル作成処理の詳細手順を表すフローチャートである。
【図２０】ニュースティッカーウィジェットに複数のＲＳＳサイトを累積登録させた場合の表示例を示す図である。
【図２１】ＲＳＳサイトとウィジェットの組み合わせを３組分記入可能なタグ作成用プログラムの一表示例を表す図である。
【符号の説明】
【０１６８】
１                無線タグ作成システム
５                通信ネットワーク
６                情報提供サーバ
７                ＲＳＳサーバ
１００            書き込み側ＰＣ（無線タグ編集装置）
１０１            表示部（表示手段）
１０２            操作部（操作手段）
１０３            記憶装置
１０５            制御回路
１５０            ＩＣ回路部
１５１            タグ側アンテナ（タグアンテナ）
２００            タグラベルプリンタ（無線タグ作成装置）
２０３            タグテープ（タグ媒体）
２０５            印字ヘッド（印字手段）
２０６            装置側アンテナ（通信手段）
２０９            搬送装置（搬送手段）
３００            読み取り側ＰＣ
４００            タグリーダ
Ｔ                タグラベル（無線タグ）
Ｔo               無線タグ回路素子
【図１】
2009146164.tif 000003
【図２】
2009146164.tif 000004
【図３】
2009146164.tif 000005
【図４】
2009146164.tif 000006
【図５】
2009146164.tif 000007
【図６】
2009146164.tif 000008
【図７】
2009146164.tif 000009
【図８】
2009146164.tif 000010
【図９】
2009146164.tif 000011
【図１０】
2009146164.tif 000012
【図１１】
2009146164.tif 000013
【図１２】
2009146164.tif 000014
【図１３】
2009146164.tif 000015
【図１４】
2009146164.tif 000016
【図１５】
2009146164.tif 000017
【図１６】
2009146164.tif 000018
【図１７】
2009146164.tif 000019
【図１８】
2009146164.tif 000020
【図１９】
2009146164.tif 000021
【図２０】
2009146164.tif 000022
【図２１】
2009146164.tif 000023